(57)【要約】      （修正有）【課題】室外側引き戸の縦枠骨と横枠骨の段差を利用してロック機能と発報機能を有するロックプレートを横枠骨に面接着して使用でき、美観を損なわずに且つ外部より露見し難くする効果を得ながら両機能を発揮させることができる引き違い戸における警報兼ロックプレートの提供。【解決手段】室外側引き戸１の横枠骨４の戸尻側内面に面接着される固定基板に設けたロック片８を起立位置することにより室内側引き戸２の戸尻側縦枠骨３の戸尻面６に対する係止状態を形成し、ロック片８は上記両引き戸１，２の相対引き違い動作時に係止状態を保ちつつ室内側引き戸２の戸尻面６に押圧されて横スライドして、固定基板上に設けたスイッチを常閉又は常開位置に変位せしめ、固定基板上に設けた警報用電気回路を常発報動作状態にする。【選択図】図４
2008013981.tif 000002
【特許請求の範囲】
【請求項１】
室外側引き戸の横枠骨の戸尻側内面に面接着される固定基板と、該固定基板に起立位置と伏倒位置とに回動可に設けたロック片とを備え、該ロック片は上記起立位置に回動されて室内側引き戸の戸尻側縦枠骨の戸尻面に対する係止状態を形成すると共に、同ロック片は上記伏倒位置に回動されて同戸尻面に対する係止解除状態を形成し、更に上記ロック片を上記回動方向と直交する方向に横スライド可に設け、該ロック片は上記室外側又は室内側引き戸の相対引き違い動作時に上記係止状態を保ちつつ室内側引き戸の戸尻面に押圧されて横スライドし、該ロック片の横スライド時に該ロック片に押圧されて常閉又は常開位置に変位する上記固定基板上に設けられたスイッチを備え、該スイッチの上記常閉又は常開位置への変位により常発報動作状態を形成する上記固定基板上に設けられた警報用電気回路を備えることを特徴とする引き違い戸における警報兼ロックプレート。
【請求項２】
上記スイッチは上記ロック片の上記とは逆方向へのスライド操作により該ロック片に押圧されて上記とは逆方向に変位することを特徴とする請求項１記載の引き違い戸における警報兼ロックプレート。
【発明の詳細な説明】
【技術分野】
【０００１】
本発明は引き違い戸の召し合わせ部において不正な戸開きを阻止すると同時に、該戸開きを阻止するロック片によって警報用電気回路を作動せしめるようにした引き違い戸における警報兼ロックプレートに関する。
【背景技術】
【０００２】
図１，図４に示すように、既設の引き違い戸（アルミサッシ）を形成する室外側引き戸１と室内側引き戸２は左右の縦枠骨（戸尻側縦枠骨と戸先側縦枠骨）３と横枠骨（上横枠骨と下横枠骨）４から成る方形枠体内に窓ガラス５を嵌め込んだ構造を有し、戸閉め状態においては室外側引き戸１の戸尻側縦枠骨３と室内側引き戸２の戸尻側縦枠骨３とが重畳して召し合わせ部を形成し、該召し合わせ部中央にクレセント錠に代表される錠前を設けている。
【０００３】
上記引き違い戸においては、両引き戸１，２の上下横枠骨４の内外幅を縦枠骨３より幅狭にして段違い接合構造にしている。従って縦枠骨３の室内側内面と横枠骨４の室内側内面間には５ｍｍ強の段差Ｓを有し、引き違い操作時に横枠骨４と縦枠骨３が擦り合わないようにしている。
【０００４】
特許文献１，２は上記段差Ｓを利用し、下横枠骨３又は上横枠骨３の戸尻側内面にロックプレートを面接着等し、室外及び室内引き戸１，２の通常の相対引き違い動作と干渉しないようにしつつ、ロックプレートに起伏回動可に設けたロック片を起立させて室内側引き戸２の戸尻側縦枠骨３の戸尻面６に係止し不正な戸開きを防止するようにしている。
【０００５】
特許文献１，２の回動ロック片（ロックプレート）自身は機能的に前記既設のクレセント錠等を補完し、両引き戸１，２の戸開きを防止する機能を主体とし、ロックプレート自身は警報装置を構成していない。
【０００６】
特許文献１，２は上記ロックプレートとは別に警報装置を設け、上記ロックプレートを横枠骨４の戸尻側内面に取り付けると共に、該警報装置を室内側引き戸２の戸尻側縦枠骨３の戸尻面６に取り付けた構造の錠前ユニットを開示している。
【０００７】
他方、特許文献３は室外側引き戸１の窓ガラス５にロックプレートを取り付け、該ロックプレートに起伏回動可に設けたロック片を起立させて室内側引き戸２の戸尻側縦枠骨３の戸尻面６に係止し不正な戸開きを防止するようにしている。前記のように、このロックプレートは窓ガラス５を通して露視可能である。
【０００８】
特許文献４に示すロック装置も窓ガラス５に取り付けるという点については、上記特許文献３と同様である。この特許文献４においては警報機能を有しておらず、室内側引き戸２の戸尻側縦枠骨３の戸尻面６に取り付けるスライド錠と、室外側引き戸１の窓ガラス５の戸尻側内面に配した該スライド錠のスライドピンを係入する被係止具との錠前ユニットを示している。
【０００９】
【特許文献１】特開２００１−８２００９号公報
【特許文献２】特開２００１−１５２７２３号公報
【特許文献３】特開２０００−３０３７３５号公報
【特許文献４】特開２００４−１３７８５１号公報
【発明の開示】
【発明が解決しようとする課題】
【００１０】
然るに特許文献３，４のように窓ガラス５を取り付け対象とするロック装置は何れも外部より露見され美観を損なうばかりか、不正侵入者によるロック装置の存在を容易に発見でき、侵入者が窓ガラス５を破壊して除去できロック効果を減殺する。
【００１１】
他方、特許文献１，２の先行例はロックプレートを上記上下横枠骨４の段差Ｓを利用しているので上記特許文献３，４の問題点を払拭できる効果を有する。
【００１２】
然しながら特許文献１，２のロックプレートは、何れも既設のクレセント錠等を補完するロック機能しか有しておらず、ロック機能に加え警報機能を持たせるために警報装置を別装置として用意し、これを室内側引き戸２の戸尻側縦枠骨３の戸尻面６に取り付けて上記ロックプレートと警報装置とを協働せしめ発報せしめる構造であり、構造が複雑となるばかりか高価となる。加えてユーザーによる取り付け作業も煩雑である。
【００１３】
又室内側引き戸２の戸尻面６に警報装置を取り付けた場合にも窓ガラス５を通して外部より容易に露見でき防犯機能を減殺する。
【課題を解決するための手段】
【００１４】
本発明は上記室外側引き戸の縦枠骨と横枠骨の段差を利用して横枠骨の戸尻側内面にロックプレートを面接着し、引き違い戸の召し合わせ部において不正な戸開きを阻止するロック機能を果たすと同時に、該戸開きを阻止するロック片によってロックプレート上に形成した警報用電気回路を作動せしめるようにした引き違い戸における警報兼ロックプレートを提供するものである。
【００１５】
要述すると、本発明に係る引き違い戸における警報兼ロックプレートは、室外側引き戸の横枠骨の戸尻側内面に面接着される固定基板と、該固定基板に起立位置と伏倒位置とに回動可に設けたロック片とを備える。
【００１６】
上記ロック片は上記起立位置に回動されて室内側引き戸の戸尻側縦枠骨の戸尻面に対する係止状態を形成すると共に、同ロック片は上記伏倒位置に回動されて同戸尻面に対する係止解除状態を形成する。
【００１７】
更に上記ロック片を上記回動方向と直交する方向に横スライド可に設ける。
【００１８】
上記ロック片は上記室外側又は室内側引き戸の相対引き違い動作時に上記係止状態を保ちつつ室内側引き戸の戸尻面に押圧されて一方向に横スライドする。
【００１９】
更にロック片の上記横スライド時に該ロック片に押圧されて常閉又は常開位置に変位するスイッチを、例えばスライド形スイッチを上記固定基板上に設ける。
【００２０】
更に上記スイッチの上記常閉又は常開位置への変位により常発報動作状態を形成する警報用電気回路を上記固定基板上に形成する。
【００２１】
上記スイッチは上記ロック片の上記とは逆方向へのスライド操作により該ロック片に押圧されて上記とは逆方向に変位せしめ、両者を原位置に復帰させることができる。この構成は復帰用のばねを用いないことを意味する。
【発明の効果】
【００２２】
本発明は上記室外側引き戸の縦枠骨と横枠骨の段差を利用してロック機能と発報機能を有するロックプレートを横枠骨に面接着して使用でき、美観を損なわずに且つ外部より露見し難くする効果を得ながら両機能を発揮させることができる。
【００２３】
又ロック片の起立回動により不正な戸開きを阻止しつつ、該ロック片を不正な戸開きと連動して横スライドせしめ警報用電気回路を常発報動作せしめるスイッチ構造を採用するので、機構の簡素化を達成し、不正侵入者が開けようとした引き戸を再び閉めても常発報状態が保たれ、不正侵入効果を遺憾なく発揮せしめることができる。
【００２４】
又上記段差Ｓを利用してロック機能と発報機能を有するロックプレートを低廉な価格で提供できる。
【発明を実施するための最良の形態】
【００２５】
以下本発明を実施するための最良の形態を図１乃至図６に基づき説明する。
【００２６】
前記のように（図１，図４に示すように）、既設の引き違い戸（アルミサッシ）を形成する室外側引き戸１と室内側引き戸２は左右の縦枠骨（戸尻側縦枠骨と戸先側縦枠骨）３と上下の横枠骨（上枠骨と下枠骨）４から成る方形枠体内に窓ガラス５を嵌め込んだ構造を有し、戸閉め状態においては室外側引き戸１の戸尻側縦枠骨３と室内側引き戸２の戸尻側縦枠骨３とが重畳し、所謂召し合わせ部を形成し、該召し合わせ部中央にクレセント錠に代表される錠前を設けている。
【００２７】
上記引き違い戸においては、両引き戸１，２の上下横枠骨４の内外幅を縦枠骨３より幅狭にして段違い接合構造にしている。従って縦枠骨３の室内側内面と横枠骨４の室内側内面間には５ｍｍ強の段差Ｓを有し、引き違い操作時に横枠骨４と縦枠骨３が擦り合わないようにしている。
【００２８】
図１，図４に示すように、本発明は上記室外側引き戸１の縦枠骨３と横枠骨４の段差Ｓを利用して下横枠骨又は上横枠骨４の戸尻側内面にロックプレート７を面接着し、引き違い戸の召し合わせ部において不正な戸開きを阻止するロック機能を果たすと同時に、該戸開きを阻止するロック片８の戸開きと連動する横スライドによって、ロックプレート７上に形成した警報用電気回路９を作動せしめ、発報機能を果たすようにした引き違い戸における警報兼ロックプレートを提供するものである。
【００２９】
上記引き違い戸における警報兼ロックプレート７は、室外側引き戸１の横枠骨４の戸尻側内面に面接着される固定基板１０を有する。
【００３０】
上記固定基板１０は方形で偏平な合成樹脂プレートから成り、該固定基板１０の裏面に両面接着シート１１を一方の接着面を以って面接着し、他方の接着面を以って上記横枠骨４の戸尻側内面に面接着できるようにしたものである。
【００３１】
上記固定基板１０に起立位置と伏倒位置とに回動可能なロック片８を備える。該ロック片８は例えば略方形の板形を呈する。
【００３２】
上記固定基板１０の戸尻側端部表面に上記ロック片８の基部を軸１２により回動可能に枢支し、上記起立位置と伏倒位置とに回動可能にする。該ロック片８を起立位置から伏倒位置に復帰せしめるばね手段は使用しない。
【００３３】
上記ロック片８の両側に固定基板１０上に設けたストッパー１３，１４を配置する。該ストッパー１３，１４は、例えばロック片８の両側面に沿い該両側面を規制する規制面１５を有し、ロック片８は該ストッパー１３，１４間のスペース内に伏倒され、固定基板１０上面に重なる。
【００３４】
図４Ａに示すように、ロック片８を伏倒位置に回動した場合、ロック片８とストッパー１３，１４の各表面は略同一平面になるように厚み（固定基板１０の表面からの高さ）を設定する。
【００３５】
上記ロック片８を回動可に支持する軸１２は、例えばロック片８の基部を貫通してその両端を上記ストッパー１３，１４間に横架する。
【００３６】
図４Ｂ、図３Ａ，Ｂに示すように、上記ロック片８は上記起立位置に回動されて室内側引き戸２の戸尻側縦枠骨３の戸尻面６に対する係止状態を形成すると共に、同ロック片８は上記伏倒位置に回動されて同戸尻面６に対する係止解除状態を形成する。
【００３７】
上記ロック片８は上記室外側引き戸１又は室内側引き戸２の相対引き違い動作時に上記係止状態を保ちつつ、室内側引き戸２の戸尻面６に押圧されて一方向に横スライドする。
【００３８】
上記ロック片８を横スライド可に支持する手段として、上記軸１２を中心にして固定基板１０から起立する位置と伏倒する位置とに回動可能に支持すると共に、該軸１２をガイドとして引き戸１，２の相対引き違い方向（相対戸開き方向）に横スライド可能に支持する。
【００３９】
又ロック片８が上記戸尻面６に押圧されて移動する側のストッパー１３の下端軸支部の内側面、即ち同規制面１５の下端に逃げ部１６を切欠形成し、該逃げ部１６内へ起立ロック片８を受容し上記追随的横スライドを許容する。
【００４０】
上記ロック片８は引き戸１，２の相対引き違い動作時に上記逃げ部１６の範囲内で横スライドし、上記逃げ部１６の内側壁に当たってそれ以上の横スライドを阻止し、ロック片８による戸尻面６に対するロック状態を維持する。
【００４１】
従って上記逃げ部１６を形成する切欠部の内側壁はロック片８の追随的横スライドの終点を設定する規制面１５′を形成する。
【００４２】
上記ロック片８は起立回動位置で室内側引き戸２の戸尻面６に当接するとは、接触状態と近接状態を含む。
【００４３】
上記の通り、ロック片８は軸１２を中心に起立回動することによりロック状態を形成し、引き戸１，２の相対引き違い動作と連動し、上記係止状態を保ちつつ、室内側引き戸２の戸尻面６に押圧されて一方向に横スライドする。
【００４４】
図４Ｃ、図５に示すように、ロック片８の上記横スライド時に、該ロック片８に押圧されて常閉又は常開位置に変位するスイッチ１７を、例えばスライド形スイッチを備え、該スイッチ１７を上記固定基板１０上に設ける。
【００４５】
上記スイッチ１７は固定スイッチ部材１８と可動スイッチ部材１９とから成り、該可動スイッチ部材１９を上記ロック片８と協働するように配置する。
【００４６】
図はスライド形スイッチを使用した場合を示し、該スライド形スイッチの固定スイッチ部材１８を固定基板１０上に固定し、可動スイッチ部材１９（スライド操作片）を上記ロック片８と係合状態にして上記追随的連動を得るようにする。
【００４７】
例えば図２Ａに示すように、ロック片８の下端軸支部に下方に開放する凹欠部２０を設け、該凹欠部２０内に上記可動スイッチ部材１９を受け入れ、ロック片８が上記追随的に横スライドした時に、上記凹欠部２０の一方の内壁に押圧されて上記相対引き違い方向に追随的に横スライドするようにする。
【００４８】
即ちロック片８は上記追随的横スライド時に可動スイッチ部材１９を押圧する押圧部２１を有する。
【００４９】
上記ロック片８及び可動スイッチ部材１９の何れも復帰用のばねで支持せず、ロック片８は横スライドの終点で該横スライド状態を保ち、可動スイッチ部材１９はロック片８と追随動する終点で該状態を保つ。
【００５０】
更に上記スイッチ１７の上記常閉又は常開位置への変位により常発報動作状態を形成する警報用電気回路９を上記固定基板１０上に形成する。
【００５１】
上記スイッチ１７の上記常閉位置への変位により上記警報用電気回路９の常発報動作状態を形成する回路構成とする。又は上記スイッチ１７の上記常開位置への変位により上記警報用電気回路９の常発報動作状態を形成する回路構成とする。
【００５２】
上記警報用電気回路９は発振回路２３と拡声器２４と電池２５とから成り、発振回路２３は固定基板１０上に固定した電子部品と、該電子部品間を接続する固定基板１０上に形成した配線路から成り、上記スイッチ１７、即ち固定スイッチ部材１８の端子２６を上記発振回路２３に接続する。
【００５３】
上記拡声器２４は図６に示すように、偏平な円形の共鳴ケース２８に円形の圧電振動板２７を保持せしめた構造を有し、圧電振動板２７の振動による共鳴音を共鳴ケース２８の放音孔２９を通じて外部へ放出する。
【００５４】
又上記電池２５は既知の偏平なボタン形電池であり、該ボタン形電池２５を着脱可に保持するホルダー３０を上記固定基板１０上に設ける。一例として固定基板１０上にコ字形の電極３１（例えばプラス極）を取り付け、該電極３１直下の固定基板１０上に電極３２（例えばマイナス極）を設け、コ字形の電極３１内にボタン形電池２５を差し込んで弾力的に保持せしめ、電極３１と３２間において電気接触（弾力的接触）を行う構造にする。従って例示においては、ホルダー３０が一方の電極３１を形成する構造である。
【００５５】
上記電池２５は上記発振回路２３と拡声器２４に電力を供給し、該電力は上記ロック片８が追随的に横スライドし、スイッチ１７が常開又は常閉されることによって供給され、上記発振回路２３と拡声器２４を常発報状態に作動せしめる。
【００５６】
即ち不正侵入者が引き戸１，２を僅かに相対引き違い操作すると、上記ロック片８とスイッチ１７と警報用電気回路９は該相対引き違い方向に作動されて、ロック片８によるロック状態を保ちつつ、警報用電気回路９による発報動作が維持される。
【００５７】
一例として、上記スイッチ１７は上記ロック片８の上記とは逆方向への直線スライド操作により、該ロック片８に押圧されて上記とは逆方向に変位せしめることができるようにする。
【００５８】
具体構造例として、前記のようにロック片８の下端軸支部に下方に開放する凹欠部２０を設け、該凹欠部２０内に上記可動スイッチ部材１９を受け入れ、ロック片８を上記追随的横スライド方向とは逆方向に横スライドした時に、上記凹欠部２０の他方の内壁に押圧されて上記相対引き違い方向とは逆方向に追随的に横スライドできるようにする。
【００５９】
上記ロック片８の凹欠部２０の一方の内壁は上記ロック片８の追随的横スライド時に可動スイッチ部材１９を作動位置へ押圧する押圧部２１を形成すると共に、該押圧部２１に対向する他方の内壁は作動解除位置へ押圧する押圧部３３を形成する。
【００６０】
上記固定基板１０は室外側引き戸１の横枠骨４内面に貼り付ける手段としつつ、警報用電気回路９を形成する手段として説明したが、図６に示すように、上記固定基板１０を横枠骨４の表面に貼付する取り付け基板１０ａと、警報用電気回路９を搭載する回路基板１０ｂとから成る複層基板にすることができる。この取り付け基板１０ａと回路基板１０ｂとによって本発明における固定基板１０を形成している。
【００６１】
又一枚板構造又は二枚板構造から成る上記固定基板１０上に固定基板１０を覆う覆いケース３４を設けることができる。
【００６２】
上記市販のボタン電池２５、例えば３ボルトのボタン電池は厚さが最小１．６ｍｍ程度であり、上記市販の拡声器２４の厚みも２ｍｍ程度に止めることができる。又発振回路２３を形成する電子部品もこれらの厚み以下のものが市販されている。
【００６３】
従って固定基板１０として取り付け基板１０ａと回路基板１０ｂを用いるとしても、又覆いケース３４を設けるとしても、その夫々の厚みは０．５ｍｍ〜１ｍｍ程度で済み、全体として前記段差Ｓの５ｍｍ以下の厚みのロックプレート７を構成することができる。
【００６４】
上記スイッチ１７としては上記可動スイッチ部材１９が直線動する形式の上記スライド形スイッチの他、可動スイッチ部材１９がＯＮ・ＯＦＦ位置に回動する形式のスイッチの使用が可能である。
【図面の簡単な説明】
【００６５】
【図１】閉鎖状態にある室外側引き戸の横枠骨に警報兼ロックプレートを取り付けた状態を示す要部斜視図。
【図２】Ａはロックプレートのロック片が伏倒状態にある正面図、Ｂは同上面図。
【図３】Ａはロックプレートのロック片が起立状態にある正面図、Ｂは同上面図。
【図４】Ａはロックプレートのロック片を伏倒状態にして室内側引き戸の戸尻面に対する係合解除状態を形成している状態を示す横断面図、Ｂはロックプレートのロック片を起立状態にして室内側引き戸の戸尻面に対する係合状態を形成している状態を示す横断面図、Ｃは上記ロック片が引き戸の相対引き違い操作により同方向へ横スライドしスイッチを追随的に作動せしめている状態を示す横断面図。
【図５】上記図４Ｃにおける正面図。
【図６】ロックプレートを構成する固定基板の他例を示す断面図。
【符号の説明】
【００６６】
１…室外側引き戸、２…室内側引き戸、３…縦枠骨、４…横枠骨、５…窓ガラス、６…戸尻面、７…ロックプレート、８…ロック片、９…警報用電気回路、１０…固定基板、１０ａ…取り付け基板、１０ｂ…回路基板、１１…両面接着シート、１２…軸、１３，１４…ストッパー、１５，１５′…規制面、１６…逃げ部、１７…スイッチ、１８…固定スイッチ部材、１９…可動スイッチ部材、２０…凹欠部、２１…押圧部、２３…発振回路、２４…拡声器、２５…電池、２６…端子、２７…圧電振動板、２８…共鳴ケース、２９…放音孔、３０…ホルダー、３１，３２…電極、３３…押圧部、３４…覆いケース、Ｓ…段差。
【図１】
2008013981.tif 000003
【図２】
2008013981.tif 000004
【図３】
2008013981.tif 000005
【図４】
2008013981.tif 000006
【図５】
2008013981.tif 000007
【図６】
2008013981.tif 000008